(57)【要約】【課題】携帯電話機、携帯情報端末機器をサービス・エリア、ホット・スポットで使用するとき、大量のデータを高速伝送する際に電力の消費と時間がかかって携帯機器のような小型軽量機器には実用に供しなかった。【解決手段】携帯電話機、携帯情報機器の送受信部にＩＥＥＥ８０２．ａ，ｂ，ｇ規格の微弱電波と光伝送、ＩｒＤａの双方を備えて、通信と手順をきめるプロトコルの交信では、当初と終了時では微弱電波をつかう。データの高速大容量通信では、光通信、ＩｒＤａを使って電池の消耗を防ぎ、高速伝送をおこなって利便性の向上を図る。サービス、ホット・スポットを店舗内から街中の商店街に拡大して、サービス・エリアのローミングを自動的に、公衆無線回線を使用しないで接続できるようにする。通信費を安価にできて、商店街の活性化だけでなくサービス・エリアを多方面に広げて社会の発展を促す。【選択図】　　図１
2004080719.tif 000002
【特許請求の範囲】
【請求項１】
携帯無線電話、微弱無線、光通信装置を備えた携帯端末機器を使用したサービスエリアにおいて、
該サービスエリア内において、微弱無線電波によって携帯機器への呼びかけの同報プロトコル信号を送る手段としてアクセスポイントを設けて、該携帯機器からの応答を待つ手段、
応答プロトコル信号を受けた前記アクセスポイントは、携帯機器からの要求に応じ、専門店舗を紹介して専門店の機器に転送する手段、
要求のあった情報を専門店舗から携帯端末機器に情報を伝送する手段を備えたことを特徴とするサービスエリアにおける携帯情報機器のデータ伝送の方法。
【請求項２】
前記請求項１において携帯機器からの呼びかけの同報プロトコル信号、及びアクセスポイントから端末機器への当初の接続と終了のプロトコル信号は、微弱無線電波を用いる手段、
端末機器との接続後のデータ伝送は、光通信、ＩｒＤａを用いて省電力、高速大容量伝送する手段を備えたことを特徴とするサービスエリアにおける携帯情報機器のデータ伝送の方法。
【請求項３】
前記請求項２記載の携帯端末機器、アクセスポイントにおける伝送手段に公衆携帯無線をはじめ、微弱信号、光通信、ＩｒＤＡをを備える手段、
適宜使用場所、状況に応じて通信伝送方式を選択する手段を備えたことを特徴とするサービスエリアにおける携帯情報機器のデータ伝送の方法。
【請求項４】
前記記載のアクセスポイントの機能は、プリンター、デイジタルコピー機、ファクシミリ等のＯＡ機器に備える手段、
デイジタルＴＶ等の情報家電機器に備えたことを特徴とするサービスエリアにおける携帯情報機器のデータ伝送の方法。
【請求項５】
前記記載のサービスエリアは、店舗内、商店街の一角に設けて商店の得意商品の情報提供する手段、
サービスエリア間を通信線によって接続して、他のサービスエリアと端末機器のローミングを公衆無線を使用しないで容易におこなう手段、
サービスエリア毎に専門別情報を提供して必要に応じて課金することを特徴とするサービスエリアにおける携帯情報機器のデータ伝送の方法。
【発明の詳細な説明】
【０００１】
【発明の属する技術分野】
本発明は、近年普及の著しいホット・スポットと称するＩＥＥＥ８０２．１１ａ，ｂ，ｇ規格の微弱電波を使って、多様なサービスを提供するシステムに係わり、携帯情報端末機器の弱点である、電源の消耗を防いで大量高速伝送を実現しようとするものである。携帯情報機器同士、携帯情報機器とアクセスポイントとのデータの交信に相互に求める信号は、微弱電波にてデータの交信は光通信、ＩｒＤａの手段を用いておこなう。
【０００２】
例えば、あるサービス、ホット・スポットで好みのレストランを探すとする。所持している携帯情報機器からレストランを探す信号を微弱電波で発信する。これに対応したアクセス・ポイントから受領信号を該端末機器に発信する。サービス、ホット・スポットから該当する複数のレストランに転送してレストランから携帯端末機に光通信にてデータをおくる。メニュー、価格の表示と空き席、満席の時、席が空くまでの時間も表示されるから多忙な現代人にとって、利便性の高いシステムを提供する。
【０００３】
【従来の技術】
例えば従来、論文等の検索、書籍、レストラン情報、旅行等は街中でチラシをもらうとか、図書館に行って出かけて調べたり、インターネットで検索することができた。しかし、街中に出てしまったら自分の眼で確かめるか、広告を見たり以外に方法はなかった。又、家庭では執拗な電話勧誘に悩まされ多額な不要な物品を買わされていた。本当に必要な物とか情報はなかなか取れなかった。
【０００４】
【発明が解決しようとする課題】
このため一般のユーザは、電話での問い合わせたりしたが特にパソコンがらみのトラブルに対応する、コール・センターにはなかなか接続できず、必要な情報を知ることは難しかった。例えばパソコンショップのたくさんある電気街に行って、そこのサービス、ホット・スポットに行けば必要な情報は何でも得られることが必要である。近年無線ブロードバンドをサービスするスポットが漸増してきた。定額料金で利便性は高いがサービス・スポットが限られていて、大多数の人に恩恵を与えるまでにいたっていない。インターネット・サービスであるからセキュリテイ上課題をかかえていて、他人の成り済ましによる物品の購入、改ざん等の悪質な行為が頻発している。
【０００５】
【発明の目的】
本発明は、かかる従来例の有する不都合を改善して、特に近年専門化家されたサービス、ホット・スポットのインフラ・サービスが著しく増加している。携帯電話をはじめ、携帯情報機器を通信課金費用を少なく、電源消費を少なく大容量高速伝送を可能にして、ユーザの利便性の向上とサービス業、多様なビジネスチャンスを社会に提供することを、その目的にする。
【０００６】
発明者は、これらの方式をＢＩＳ２（ビイススクエア・Ｂｌｕｅｔｏｏｔｈ−ＩｒＤａ−Ｓｈｏｗｅｒ−Ｓｅｒｖｉｃｅ）方式と名付けた。このビイススクエア方式のサービスによって前述した目的を達成しようとするものである。
【０００７】
【課題を解決するための手段】
上記目的を達成するため、請求項１に記載の発明は、サービス・スポットにアクセス・ポイント（ＡＰ）を設置して、携帯情報機器に情報提供の呼びかけの、同報プロトコル信号をＩＥＥＥ８０２．１１ａ，ｂ，ｇ規格の微弱電波をシャワー状に発信する。応答してきた端末機に情報の種類に応じて専門店に転送して、専門店舗のＡＰより電力消費の少ない光伝送、ＩｒＤａ使用して端末機に伝送する。
【０００８】
請求項２の発明は、携帯機器の弱点である軽量化、長時間使用に耐えるために電池を小さくして、高速大容量データ伝送には光通信、ＩｒＤａを使用すること。本発明のシステムには、請求項４に記載したように携帯情報機器、ＡＰの機器、店舗、施設等のＯＡ機器、情報家電機器に公衆無線、ＩＥＥＥ８０２．１１ａ，ｂ，ｇ規格の微弱無線と高速大容量伝送には光伝送，ＩｒＤａを使用する。微弱電波と光伝送の切り替えは、発信側のプロトコルによって自動的に使用者が意識しないでおこなわれる。
【０００９】
商店街のサービス、ホット・スポットは専門店が連携して街中、商店街にデッド・スペースをなくして設置する。ローミングは公衆回線を使わないで通信経費の負担をすくなくすること。端末機が微弱電波で必要とする情報のメニューを要求してきたら、広告宣伝等無料の場合と有料で課金の必要がある情報もある。
【００１０】
課金するときは、携帯端末機に利用料金と徴収方法、クレジット・カード、電話通信料金からの引き落とし等を知らせる。これに携帯機器の所有者が同意すれば光伝送で情報、データを伝送する。料金の徴収の是非については、少なくとも暗証番号と本人認証を指紋パターン等で認識する必要がある。以上は、請求項５に記載してある。
【００１１】
請求項３の発明は、ＡＰの機能をデイジタル・コピー機、プリンター、ＦＡＸ、パソコン等、普段店舗、オフィスで使用しているＯＡ機器、デイジタルＴＶ等の情報家電機器に搭載して、あらゆる場所で費用をかけないでサービスの提供を実現することにある。小店舗、これから本システムによって事業を起こそうとする人にとっては、まさに福音となる。
【００１２】
請求項４の発明は、サービス・エリア、ホット・スポットを外食産業、店舗の中だけでなく、商店街の一角ごとにデッド・スペースをなくして、サービス・エリア、スポット間を通信線で接続して、端末機器の自動ローミングを可能にすれば、サービス・エリア、スポットは広がって利便性は向上して、商店街の活性化をはかること。サービス・エリア、スポット内の携帯情報端末機器同士の情報交換もできる。欲しい情報を求める同報プロトコルを発信すれば、エリア内にいる人の携帯情報端末機に欲する情報があれば、その人から提供してもらうことも可能である。端末機器同士のコミュニケーションができる。図書館にもＡＰを設けて検索と文献、論文等のデータを高速に受領できること。スーパマーケットの一角にコピー機等のＯＡ機器をおいて起業家、小企業用のオフィスに利用して社会を活性化することにある。
【００１３】
【発明の実施形態】
［第１実施形態］
【００１４】
無線ＬＡＮ（Ｌｏｃａｌ　Ａｒｅａ　Ｎｅｔｗｏｒｋ）は、ホット・プレイスと称して街中、店舗の中で多様なサービスが始まった。家庭では、情報家電、ＡＶ（デイジタル・オーデオ・機器）を無線ＬＡＮで接続して使い勝手をよくしている。ブルーツースといわれるＩＥＥＥ８０２．１１（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）にて規格の制定をタスク・グループ（ＴＧａ〜ＴＧｉ，ＷＮＧ）にて進めてきた。
【００１５】
現在、ホット・スポットと呼ばれるサービス・エリアは８０２．１１ｂ，２．４ＧＨｚ周波数帯を用いた直接拡散方式の拡張による１１ＭＨｚｂｐｓを実現している。さらに周波数帯２．４ＧＨｚを対象にし５４Ｍｂｐｓの実現を目指して、ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）変調方式のＩＥＥＥ８０２．１１ｇが有望視されている。
【００１６】
５ＧＨｚのＩＥＥＥ８０２．１１ａはＯＦＤＭ変調で５４Ｍｂｐｓを実現するが屋外では、使用できない。家庭内のデイジタル情報家電、ＡＶ機器のネットワークに利用される。動画像の伝送に配線を煩雑に引き回すこともなくすっきりするだろう。
【００１７】
ＯＦＤＭ変調方式の特徴として、多重波による符号間干渉の影響を軽減するために、ガード・インターバル（符号間干領域用の冗長時間）が挿入されている。多重波干渉の除去に必要な技術である。多重波は、直接波以外に周囲の物体に乱反射して届く遅延波を含んでいる。受信側で分波する場合に、単純に高速フーリェ変換（ＦＦＴ）をおこなっても遅延波が含まれるため、きれいに分派できない。
【００１８】
この問題を解決するのがガード・インターバルで、各ＯＦＤＭシンボルの後端部分をコピーし、先端部分に信号が周期的に連続になるように周期的に付加した構成になっている。これによって、受信側で高速フーリェ変換処理をおこなう場合にマルチパスによる揺らぎが信号成分に含まれていても、符号間干渉なく正常に高速フーリェ変換処理によって分波が可能になる。
【００１９】
１９９８年にＮＴＴ（日本電信電話会社）とＬｕｃｅｎｔ　Ｔｅｃｈｎｏｌｏｇｙ社（米国、通信会社）の共同提案であるパケットモードＯＦＤＭ（直交周波数分割多重）方式をＩＥＥＥ８０２．１１は、標準物理レイヤ規格として採用した。一方、日本では５．１５〜５．２５ＧＨｚの１００ＭＨｚを屋内限定で高速無線ＬＡＮで使用できることになった。これは、この周波数帯が移動体衛星通信と周波数を供用することから、ＩＴＵ−Ｒ（世界電気通信連合）の勧告に従った。
【００２０】
ＯＦＤＭ方式は、ヨーロッパではデイジタル・オーデイオ放送としてＤＶＢ（Ｄｉｇｉｔａｌ　１１１１１Ａｕｄｉｏ　Ｂｒｏａｄｃａｓｔｉｎｇ）規格やデイジタル映像放送として連続モードのものが標準化されている。ＩＥＥＥ８０２．１１ａ規格によってさらにパケット・モードにまで適用を拡大した特徴がある。
【００２１】
屋内、屋外での使用に多少の規格の違いが生ずるが、ＩＥＥＥ８０２．ｂの２．４ＧＨｚ帯の８０２．１１ｂ（１１Ｍｂｐｓ）と５ＧＨｚ帯のＩＥＥＥ８０２．ｇは相互に互換性をとって２０Ｍｂｐｓ以上の高速化をはかっていく。即ち、８０２．１１ｇには二つの役割がある。８０２．ｂと８０２．１１ａとの互換性をとりつつ、５ＧＨｚ帯と２．４ＧＨｚ帯の橋渡しをおこなうことにある。
【００２２】
ＩＥＥＥ８０２．１１標準の無線ＬＡＮは、１１，１１ｂ，１１ｇと実用的にはＡＰ（アクセス・ポイント）を置き換えるだけで、過去の端末を取り込みつつ進化するネットワークとして発展する。従って、ユーザは心配なく屋外、屋内に便宜性を見出して使用を拡大できる。
【００２３】
本発明は、無線ＬＡＮの発展性と大容量伝送可能なＩｒＤａ（Ｉｎｆｒａｒｅｄ　Ｄａｔａ　Ａｓｓｏｃｉａｔｉｏｎ：光無線通信）に着目して、携帯情報機器に適用してＩＴ社会の進展に寄与するものである。　ＡＰは微弱無線、光通信、ＩｒＤａのハイブリッド供用型にしてユーザの利便性を向上することにある。
【００２４】
図１は、本発明による第１実施形態を示すシステム構成図である。本携帯情報端末機器が使われる社会のシステム構成を示した。図１において、１０１はインターネット等の通信情報網、１０２は携帯無線会社の基地局、１０３は無線会社の専用線で１０４は携帯無線会社のネット上のウエブサイトである。
【００２５】
１０５は一般ユーザ向けのサイト、ＡＳＰ（Ａｐｐｌｉｃａｔｉｏｎ　Ｓｅｒｖｉｃｅ　Ｐｒｏｖｉｄｅｒ）で、１０６は通信線である。１０７から１１０はサービス・エリア、即ちサービス、ホット・スポットで本発明による微弱無線、光通信の適用エリアである。
【００２６】
１０７は例えば、ＤＰＥショップである。デイジタル・カメラを持った人１１４は、即座に撮影した映像をプリントしたい場合がある。１１６のカメラには、微弱無線と光通信ＩｒＤａの送受信装置が内蔵されている。本発明による携帯情報機器、携帯電話機、ＰＤＡ（Ｐｅｒｓｏｎａｌ　Ｄｉｇｉｔａｌ　Ａｓｓｉｓｔａｎｔ），ノートパソコン（ＰＣ）の類にはこのような通信装置が装備してある。
【００２７】
ブルーツースと呼ばれるＩＥＥＥ８０２．１１ａ，ｂ，ｇ及びＩｒＤａは、超小型でかつ安価であって家庭用、個人用、業務用を問わず、どんな機器にも余計な費用をかけないで装備できるから、屋内、屋外のインフラが整えば利用できるし、その効用は大きい。
【００２８】
デイジタル・カメラを持った１１４の人は、どこかに映像を印刷してくれる所はないか探す。１１６のカメラから微弱電波を発信してＤＰＥショップを探して歩く。１０７のエリアで１１１のＡＰは親機であって、１０７のＢＳＳ（Ｂａｓｉｃ　Ｓｅｒｖｉｃｅ　Ｓｅｔ：サービス、ホット・スポット）にＤＰＥ（写真の現像、プリント）があることを微弱無線で端末機器に発信している。
【００２９】
信号をキャッチした１１６のデイジタル・カメラは、１１４のクライアント、人に音声、表示ランプ等の報知手段で知らせる。１１８は、８０２．１１ａ，ｂの微弱電波で端末機器との交信をおこなう。１１２はＤＰＥショップにあるカラープリンタであって、１１６の依頼の信号によって印刷の体制を整える。
【００３０】
デイジタル・カメラ１１６より映像のデータを１１２に伝送する。これ以降の通信の伝送は、大容量伝送を高速におこなうのと、端末機の電力消費を最小にするために光、ＩｒＤａを用いる。微弱電波とはいえ、光よりは電力消費が大きいから本発明の特徴である、最初と最後の信号のやりとりは、微弱電波でおこなってデータ伝送は光、ＩｒＤａでおこなう。
【００３１】
映像情報は、大容量なので一挙に送らないと端末機の電源は消耗してしまう。デイジタル・カメラ型の端末機は、通話でなく静止画、動画等の映像を取り込むから電池は容量の大きなものが必要であるが、本体を小型化しないと商品価値が落ちるので大きくはできない。
【００３２】
そこでデータ伝送にはＩｒＤａの光通信を使用すれば１００Ｍｂｐｓで伝送すれば、一挙に解決する。電池の消耗は僅かである。図１に示した１２５のデイジタル・ビデオカメラ、になると電源の消耗はより深刻になる。近年は、ハンデイ・カムコーダも高性能化してプロ並みの小型カメラを使うユーザも増えている。ビデオ・カメラで撮影した映像の一部を即、プリントしたい場合にも本発明は高度な効力を発揮する。
【００３３】
１０８のエリアは、サテライト・オフィスをイメージしたものである。ビルの一角、街角にあるショップの片隅、スーパマーケットの一角をサービス・コーナにして一人で起業する人の手助けをする施設でもある。
【００３４】
又は、企業の出先のオフィスとして都市圏の郊外、外食チェーン店にコーナを設けて社員１３１は出社しないで仕事はできる。１１５は携帯電話機である。１１５は１０８のサービス、ホット・スポットエリア内であれば、微弱電波、光通信、ＩｒＤａによって無料で通信できる。
【００３５】
この形態の勤務体制は増えていくだろう。企業にとっては、社員の机、什器、光熱費の節約になるし、社員にとっては満員電車からの通勤から開放される。共働きが増えている現在、夫婦で子育てが可能になって一挙両得である。
【００３６】
１１３のサーバ、１２６のコム・カメラによって多地点ＴＶ会議ができる。１２１のデイジタル・コピー機、ＦＡＸ，プリンターも業務用の堅牢なものがあるから、普通の大企業なみのＯＡ機器は整っている。
【００３７】
１１１のＡＰからシャワーのように微弱電波と光シャワーがサービス・エリア、ホット・スポットに降り注ぐから、このエリア内同士のネットワーク、外部とのネットワークとの接続が柔軟にできるから仕事の効率は、向上する。当然、端末機器同士の相互交信もできるから便利である。
【００３８】
１０９はＳＯＨＯエリアでここでも、１０８のエリアと同様な仕事ができる。小企業、個人企業を意識した構成になっていて１０８と同様に自治体が援助して、起業を促してこのような施設を提供している所もある。
【００３９】
１１１の親機から微弱電波と光、ＩｒＤａが雨のように降り注ぐから高速で通信、伝送が可能であるから、ＯＡ機器１２１のデイジタル・コピー機、ＦＡＸ，１２２のスキャナー、ＦＡＸ，プリンターの複合機能機をふんだんに使えるし、１２３のパソコンとコム・カメラ１２６を使って、多地点会議もできる。まさに少ない資金で起業しようとする人にとっては、幸運である。
【００４０】
１１０のエリアｍｎは店舗を想定している。八百屋さん、魚屋さん、薬屋さん、雑貨、酒屋さんの類の言わば街中にある“○△共栄会”個人商店の集団にある無線ネットワークである。無線ネットワークのＡＰ１１１は店舗内にもあるが、電柱、街路灯などを利用して商店街の至る所にサービス、ホット・スポットを設けられる。
【００４１】
無線ネットワークのデッドスペースをつくらないで、商店街即ち“○△共栄会”と称する店同士をネットワークによって連結して、サービス、ホット・スポットを広げて行けば、店舗間をネットワークによって連携して、近年衰退の著しい街中の商店街を復活させる起爆剤にもなる。
【００４２】
１２７はゲーム機で商店街のサーバ１２９からゲーム・コンテンツをネットワークを介して提供してもよい。商店街の事務局、あるいは店舗には、サーバ１２９、１２４のコピー機、ＦＡＸ，プリンター、スキャナー、ノートＰＣには１２６のコム・カメラが付けられるから、ＴＶ会議はもとより、電柱、街路灯１３０にも監視カメラ１３２が設置して、街中、商店街の様子をモニターできる。
【００４３】
商店の掘り出し物、お買い得商品をウエブ・キャストによって適宜放映して１２８のモニターで見ることもできる。以上説明したように、微弱電波と光通信ＩｒＤａを使い分けて、多様な応用が可能になる。１１０の商店街の店舗を無線ネットワークで結べば、買い物客１３１は、所持している携帯機器に商店からの情報が飛び込んでくるから、どの店にいけば自分の欲しいものが得られるか、すぐわかるから効率がよい。
【００４４】
１３１のお客は、ウィンドウ・ショッピングをしながら専門店、店舗からの情報を、１１０の商店街を散策しながら楽しめる。このようなスポットを多く設けておけば、商店もお客も利便性はもとより楽しみが倍増するから、顧客の集客に効力を発揮する。
【００４５】
１１７は車での移動の際、自動車についているアンテナ１３３から車内がサービス、ホット・スポットに変身する。自動車内のネットワークＣＡＮ（Ｃａｒ　Ａｒｅａ　Ｎｅｔｗｏｒｋ）に接続した情報機器、車の制御機器の情報を入力したり表示される。なお、１１７の車の中は、無線ＬＡＮがによって１１１のＡＰより微弱、光が車の中をシャワーのように降り注いでいる。従って、ホット・スポット同様にサービスが受けられる。
【００４６】
１１７の車にデイジタル・カメラ付き携帯情報機器を車内の見とうしの良いところにおいておけば、事故に遭ったとき状況証拠になる。航空機のフライト・レコーダのように車の走行状態を逐一記録して、サイトにある保管場所、サーバにおいておけば万が一の事態に対応できる。
【００４７】
［第２実施形態］
図２に第２実施形態のシステム構成図を示す。２０１はサービス、ホット・スポット内における無線ネットワーク、エリアｍｎ１を示す。１１１は前にのべたようにＡＰで親機である。ここからシャワーのように微弱無線、光通信ＩｒＤａが降り注ぐ。
【００４８】
１１１は各端末機器からの情報を受信して相手の端末機器に伝送する。伝送データが大容量の場合は自動的に光伝送にて送受信する。２０１のエリアでのネットワーク機器は、２０２の携帯電話機、携帯情報端末機（ＰＤＡ）、２０３はデイジタル・コピー機、ＦＡＸ，プリンター、スキャナーである。
【００４９】
２０４のプリンター、コピー機ＦＡＸ，２０５のノート、モバイルＰＣ、２０６のコム・カメラは、これらの機器が１１１のＡＰによって無線ＬＡＮとサービス、ホット・スポットを提供して事務作業、経営資源の有効活用、経営意思決定の迅速化に寄与できる。
【００５０】
２０７は家庭を示す。２０８は家庭用ＡＰで家庭内の情報機器、デイジタル家電、ＡＶ機器を結んで、ホーム・ネットワークを構成する。ＩＰアドレスはバージョン６、ＩＰＶ６に移行して１２８ビットになった。これは、地球の表面積の１平方ｃｍあたりにアドレスをつけることが可能になる。いわゆるユビキタスの恩恵を受けて、全ての物がネットワーク化して我々人類は、利便性と幸福の追求を享受できる。
【００５１】
２０７の家庭には、２０８のＡＰから微弱電波と光通信ＩｒＤａが雨のように降り注いでいる。家電、固定電話機の子機をはじめ１２１のＰＣ，図示してないオーデイオ機器、デイジタルＴＶ，ゲーム機等の情報家電機器のネットワーク化ができて、利便性は向上する。外出先からの室温の調節から風呂の湯沸し、防犯上のチェック機能には事欠かない。２２１は、デイジタル・コピー機、ＦＡＸで、２２２は、パソコン、２０４のプリンター等、家庭用ＯＡ機器も無線ネットワークで結んでいる。２１０の家庭用アンテナは、多機能型であって、公衆無線、デイジタル地上波、微弱電波、光通信、ＩｒＤａの受信と送信ができる。
【００５２】
２０１の地域、職場のネットワーク、２０７のホーム・ネットワークは、他のエリアとの接続には、１１１のＡＰのアンテナ１３５、ホームのアンテナ２０９を介して公衆無線網１０２、公衆通信網１０１を介しておこなう。２０１のエリアにおいて、ネットワーク上を移動するようなノマデック型、ノートＰＣ２０５、携帯機器２０２、２０４はサービス、ホット・スポット間を自動ローミングする。
【００５３】
遠隔地のスポットで公衆網を使用すれば当然課金されるが、ビルのフロアの上下とか、部屋の移動は単にサービス、ホット・スポットが変わっただけである。１１１のＡＰは有線でビル内、オフィス内を接続しているから、公衆網を使わないから通信費用は一切かからない。
【００５４】
［第３実施形態］
図３乃至図６は、本発明の携帯情報端末機器に必要な機能と親機の構成機能をブロック図で示した。端末機と親機との受信と送信の状態遷移を図５で、その手順をフロー図、図６にて示した。
【００５５】
図３は、携帯情報端末機の内部構成のブロック図である。
図において、３０１はシステムバス、３０２はＰＤＣ，ＰＨＳ等の公衆携帯無線電話機とＧＰＳ（Ｇｌｏｂａｌ　Ｐｏｓｉｔｉｏｎ　ｓｙｓｔｅｍ）のアンテナである。実際には機器の内部に埋め込まれているか、プリント基板に印刷してある。あるいは、３０４の微弱電波送受信アンテナと伴に供用できる。
【００５６】
３０３は、公衆無線の送受信部、変復調部である。３０５は微弱電波、ＩＥＥＥ８０２．１１ａ，ｂ，ｇの送受信部を示す。３０６は、光通信、ＩｒＤａの発光、受光素子のＬＥＤである。３０７は光通信の変復調部である。３０８は、外部とのインタフェース部のＩＯを示す。
【００５７】
ＩＯ部３０８には、携帯情報端末機の入出力に必要な３０９のキースイッチ群、液晶等で構成される画面３１０、３１１の表示部は警報、信号をビジュアルで使用者に知らせるためのＬＥＤ，ＥＬ（Ｅｌｅｃｔｒｏ　Ｌｕｍｉｎｅｓｃｅｎｃｅ）等の表示ランプである。
【００５８】
３１２，３１３は携帯無線機のマイクロフォン、とスピーカを示す。３１４は、システム全体を制御するＣＰＵ，中央演算部で３１５は、ユーザが使用するデータ・メモリとＲＡＭである。３１６はプログラムが書き込まれたＲＯＭである。
【００５９】
３１７のＧＰＳ（Ｇｌｏｂａｌ　Ｐｏｓｉｔｉｏｎ　Ｓｙｓｔｅｍ）で携帯端末機の位置を画面３１０に表示する。３０８には図示してない端子ＵＳＢ（Ｕｎｉｖｅｒｓａｌ　Ｓｅｒｉａｌ　Ｂｕｓ）及びパラレルポートも必要に応じて設けて、ここにモニター端子を差し込めばカーナビにもなる。３１８は電池である。マイラ・状の燃料電池を使用すれば、充電して永久的に使える。
【００６０】
３１９は公衆無線電波、３２０は微弱電波、３２１は光通信の光シャワーの広がりを示す。
【００６１】
図４はＡＰ部（親機）、サーバ、ＰＣ，デイジタル・コピー機、プリンター等に搭載される微弱電波、光通信装置の入出力部を示すブロック構成である。１１１は先に説明したように、サービス、ホット・スポットエリアに設置するＡＰ部であって微弱電波、光通信ＩｒＤａの送受信部である。
【００６２】
４０１はシステムバスでこのバスを有線で伸ばせていけば、サービス、ホット・スポットのエリアは、拡張していく。４０２は微弱電波ブルーツースの送受信、変復調部で４０３はアンテナである。４０４は光通信ＩｒＤａの受発光素子、ＬＥＤである。４１３は微弱電波、４１４は光シャワーである。
【００６３】
４０５は外部との入出力部であるＩＯ部である。４０６はキースイッチ群、４０７は液晶等のデスプレイ部、４０８は発光ランプによる表示器である。図示してないＵＳＢ，ＲＳ２３２Ｃ，パラレルポート等とマイクロフォン、スピーカも必要に応じて付属している。
【００６４】
４０９はシステムを制御する中央演算部、ＣＰＵ、４１０は主にプログラムを記憶するＲＯＭ，４１１はユーザも使用するデータメモリ、ＲＡＭである。４１２は記憶媒体であるハードデスクで、図１の自動車１１７の走行状態、走行レコーダをユーザに依頼された場合等に使用する。それ以外にも記録を残す状況は多くある。図１の１１０の商店街の監視カメラ１３２の映像等を記録すれば犯罪の予防効果を期待できる。
【００６５】
１１１のＡＰ以外の機能ブロック構成は、親機、ＡＰ部の機能をつとめるサーバ、パソコン、コピー機等のＯＡ機器、情報家電、ＡＶ機器に組み込んでもよい。図２の２０８の親機は家庭の情報家電、ＡＶ機器に組み込んだ方がスペース効果もあるし、外観も家庭内無線ＬＡＮの存在を意識しないですむ。
【００６６】
図５は、図３，４にて説明した微弱電波、光通信を使った携帯機器とＡＰ、親機とのやりとりを示した状態遷移シーケンス図である。
【００６７】
ＡＰ，親機からみて図５ではアクセス・ポイントと称している。サービス、ホット・ポイントに入ると、広告を含めた当初の問いかけの同報プロトコル信号をアクセス・ポイント側から発生する。この時は、携帯機器に向けて微弱電波によっておこなわれる。図５において最初、ＳＤＰ（Ｓｅｒｖｉｃｅ　Ｄｉｓｃｏｖｅｒｙ　Ｐｒｏｔｏｃｏｌ）によって、端末機器に呼びかけをおこなうプロトコルである。
【００６８】
この間、数秒から数分であるが長時間になると電池の消耗ははげしくなる。携帯端末機よりプロトコルによる応答があるまで、図５のｎ１からｎｍまでつづく。次に端末側よりｘ０で認知情報（Ａｃｋ）が返答される。Ａｃｋが返ってきたことによって、データ転送（ＳＩＰ：Ｓｅｓｓｉｏｎ　Ｉｎｉｔｉａｌ　Ｐｒｏｔｏｃｏｌ）をＩｒＤａによっておこなう体制を整える。
【００６９】
ｘ１からｘｍで数百Ｍｂｐｓの高速でデータの伝送をおこなう。図１の例で１０７のエリアの、サービス、ホット・スポットにおいてデイジタル・カメラ１１６、ビデオカメラ１２５による映像の転送をプリンター１１２よりおこなう。１１２のプリンターは、親機、ＡＰの機能を備えている。
【００７０】
転送終了信号がｙ０にて、アクセス・ポイント（ＡＰ）は携帯端末機より受け取る。ＡＰは回線切断信号を端末機におくって、この遷移シーケンス手順は終了する。そして、カメラ１１６と１１４のユーザは、即座に映像のプリントを手にすることができる。
【００７１】
図６は図５の状態遷移の手順をフロー図にて示したものである。以下順をおって説明する。Ｓ６０１はサービス、ホット・スポットエリアにて、ＡＰは微弱電波にて携帯機器、固定端末機器に呼びかけの同報プロトコル信号を出している。この呼びかけは、広告であったり、株価、先物等の金融商品、銀行の金融情報等様々である。
【００７２】
Ｓ６０２では、端末機の方から応答をおこなう。Ｓ６０３では、端末機より情報受領の認知、Ａｃｋ信号を送る。Ｓ６０４では、データの伝送の体制を整えてＳ６０５にて親機と端末機と接続をおこなう。ここで、微弱電波から光伝送、ＩｒＤａによる高速伝送の準備が完了する。ＳＩＰプロトコルによって自動的におこなわれる。
【００７３】
Ｓ６０６では、ＩｒＤａを使って大容量高速伝送がおこなわれる。Ｓ６０７では伝送が完了したかどうかチェックして、終了していれば今度は、微弱電波に変えてＳ６０８にて接続切断をおこなう。この手順もプロトコルＳＩＰによって自動的に切断する。
【００７４】
図６の手順では、ＡＰが端末機を求めて同報プロトコル信号を発生して、呼びかけをおこなった例である。電力消費の軽減から言えば、携帯情報端末機から当初微弱電波によって呼びかけの信号をだして、相手が見つかったら情報をもらったり、送ったりする場合に光伝送、ＩｒＤａを使用するほうが電源効率はよい。
【００７５】
【発明の効果】
本発明は、以上のように構成され機能するから、これによると携帯情報機器の弱点である電源の消費を軽減して、かつ映像のように大容量のデータを高速に伝送できる。微弱電波と光通信、ＩｒＤａを使い分けて情報の探索に微弱電波を使って、データ伝送に光シャワーを使う。
【００７６】
サービス、ホット・スポット内にバナー広告の信号を微弱電波でだして、携帯端末機の方から受け入れの信号を出せば光伝送にて大量のデータを受け取ったり、逆に親機、画像、信号処理機に大量のデータを光伝送できる。
【００７７】
ＩＥＥＥ８０２．１１シリーズの普及によって、微弱電波が高品質で使い勝手がよくなった。一方、光伝送は近距離のサービスエリアでは高速、大容量伝送と言う観点では優れている。サービスが多様化しつつ著しく進展している現在、これらのシステムを社会基盤にして新規ビジネスを勃興させて、停滞している経済活動を活性化させるものと期待できる。
【図面の簡単な説明】
【図１】実施形態の全体構成を示す構成図である。
【図２】第２実施形態を示すシステム構成図である。
【図３】第３実施形態を示す携帯情報端末機器の内部ブロック構成を示す図である。
【図４】ＡＰ（アクセス・ポイント）、親機の内部ブロック構成を示す図である。
【図５】ＡＰと端末機との状態遷移手順を示すシーケンス図である。
【図６】ＡＰと端末機との状態遷移手順を示すフロー図である。
【符号の簡単な説明】
１０１　　　　　　　　　通信情報網
１０２　　　　　　　　　携帯無線会社基地局
１０３　　　　　　　　　専用線
１０４　　　　　　　　　携帯無線ウエブ・サイト
１０５　　　　　　　　　公式ウエブ・サイト
１０６　　　　　　　　　通信線
１０７　　　　　　　　　エリア１、ＤＰＥショップ
１０８　　　　　　　　　エリア２、サテライトオフィス
１０９　　　　　　　　　エリア３、ＳＯＨＯ
１１０　　　　　　　　　エリアｍｎ，商店街
１１１、２０８　　　　　ＡＰ（アクセス・ポイント，親機）
１１２　　　　　　　　　業務用高速プリンター
１１３、１２９　　　　　サーバ、パソコン
１１４、１３１　　　　　クライアント、ユーザ、人
１１５、２０２　　　　　携帯電話機、携帯情報端末機
１１６、２０９　　　　　デイジタル・カメラ
１１７　　　　　　　　　自動車
１１８、３２０、４１３　微弱電波
１１９、３１９　　　　　携帯無線電波
１２０、３２１、４１４　光シャワー
１２１，２０３、２２１　デイジタル・コピー機、ＦＡＸ，プリンター
１２２、２２２　　　　　スキャナー、プリンター
１２３、２０５、２２３　ノートＰＣ，モバイルＰＣ
１２４、２０４　　　　　プリンター、ＦＡＸ，スキャナー
１２５　　　　　　　　　デイジタル・ビデオ・カメラ
１２６、２０６　　　　　コム・カメラ
１２７　　　　　　　　　ゲーム機
１２８　　　　　　　　　デイジタル・ウエブ・キャスト
１３０　　　　　　　　　電柱、街路灯
１３２　　　　　　　　　監視カメラ
１３３、１３５、２１０、３０４、４０３　　ＡＰアンテナ
１３４　　　　　　　　　カメラ付き携帯電話機
２０１　　　　　　　　　オフィス・ホット・スポット
２０７　　　　　　　　　ホーム、家庭、スモール・オフィス
３０１　　　　　　　　　端末機システムバス
３０２　　　　　　　　　携帯無線機アンテナ
３０３　　　　　　　　　携帯無線機送受信部
３０５、４０２　　　　　ブルーツース送受信部
３０６、４０４　　　　　受発光素子、ＬＥＤ
３０７　　　　　　　　　ＩｒＤａ変復調部
３０８、４０５　　　　　インタフェース部
３０９、４０６　　　　　キースイッチ群
３１０、４０７　　　　　画面
３１１、４０８　　　　　表示ランプ、表示画面
３１２　　　　　　　　　スピーカ
３１３　　　　　　　　　マイクロフォン
３１４、４０９　　　　　中央演算部、ＣＰＵ
３１５、４１１　　　　　データメモリ、ＲＡＭ
３１６、４１０　　　　　プログラム・メモリ、ＲＯＭ
３１７　　　　　　　　　ＧＰＳ，位置表示装置
３１８　　　　　　　　　電池
４０１　　　　　　　　　ＡＰ部システムバス
４１２　　　　　　　　　ハードデスク、記憶装置
【図１】
2004080719.tif 000003
【図２】
2004080719.tif 000004
【図３】
2004080719.tif 000005
【図４】
2004080719.tif 000006
【図５】
2004080719.tif 000007
【図６】
2004080719.tif 000008